(57)【要約】【課題】トランクの扉部分に動力機構を設け、所定の条件が整う場合に、ロックを解除させ、トランク扉を自動開閉させるトランク付エレベータを提供する。【解決手段】乗りかごに扉を有するトランクが取り付けられたトランク付エレベータであって、トランク扉の下隅端部に軸部を有し、この軸部に連結したモータが配設され、エレベータの管制運転時に、トランク扉の開動作を可能とするトランク付エレベータ。【選択図】図３
2015037983.tif 000002
【特許請求の範囲】
【請求項１】
乗りかごに扉を有するトランクが取り付けられたトランク付エレベータであって、
前記トランク扉の下隅端部に軸部を有し、この軸部に連結したモータが配設され、エレベータの管制運転時に、前記トランク扉の開動作を可能とするトランク付エレベータ。
【請求項２】
前記トランクの開口部の上方近傍に、前記トランク扉を閉めた際に接点が駆動するスイッチが配設されている請求項１記載のトランク付エレベータ。
【請求項３】
前記スイッチのＯＮ時に前記モータの回転を止め、電磁ロックにより前記トランク扉を閉固定する請求項２記載のトランク付エレベータ。
【請求項４】
管制運転の解除信号を受けて、前記モータの回転動作で前記トランク扉を閉動作させる請求項３記載のトランク付エレベータ。
【請求項５】
前記トランク扉は、開き戸型の第１および第２トランク扉で構成されている請求項１乃至請求項４のいずれか１項に記載のトランク付エレベータ。
【請求項６】
乗りかごに扉を有するトランクが取り付けられたトランク付エレベータであって、
前記トランク扉の下隅端部にソレノイドを有し、
エレベータの管制運転時に、前記ソレノイドの可動鉄心を動かし、前記トランク扉のロックを解除して、前記トランク扉の開動作を可能とするトランク付エレベータ。
【請求項７】
前記トランク扉は、開き戸型の第１および第２トランク扉で構成されている請求項６記載のトランク付エレベータ。
【請求項８】
乗りかごに扉を有するトランクが取り付けられたトランク付エレベータであって、
前記トランク扉の下隅端部に軸部を有し、この軸部に連結したモータが配設されるとともに、電磁ロックで前記トランク扉の閉状態が固定されており、
エレベータの管制運転時に、エレベータの行先階設定ボタンの所定の押下操作により、前記トランク扉の開動作を可能とするトランク付エレベータ。
【請求項９】
予め暗証番号を設定しておき、前記行先階設定ボタンで暗証番号が入力されると、前記電磁ロックを解除して前記モータ駆動により開動作する請求項８記載のトランク付エレベータ。
【請求項１０】
前記トランク扉は、開き戸型の第１および第２トランク扉で構成されている請求項７又は請求項９記載のトランク付エレベータ。
【発明の詳細な説明】
【技術分野】
【０００１】
本発明の実施形態は、自動扉開閉機構を備えるトランク付エレベータに関する。
【背景技術】
【０００２】
従来、トランク付き乗りかごにおいて、トランクの開閉は専用の鍵によって、ロックを解除して開閉させていた。そのため、例えば、地震時にトランク内に保管しておいた防災用品等は、鍵がなければ使用することができない。
【先行技術文献】
【特許文献】
【０００３】
【特許文献１】特開１６０５−１５４０６３号公報
【特許文献２】特開１６１０−１４２３１２号公報
【発明の概要】
【発明が解決しようとする課題】
【０００４】
本発明が解決しようとする課題は、トランクの扉部分に動力機構を設け、所定の条件が整う場合に、ロックを解除させ、トランク扉を自動開閉させるトランク付エレベータを提供することである。
【課題を解決するための手段】
【０００５】
実施形態のトランク付エレベータは、乗りかごに扉を有するトランクが取り付けられたトランク付エレベータであって、前記トランク扉の下隅端部に軸部を有し、この軸部に連結したモータが配設され、エレベータの管制運転時に、前記トランク扉の開動作を可能とする。
【図面の簡単な説明】
【０００６】
【図１】トランク付エレベータ乗りかごの外観の略斜視図で、かご扉が開いている途中の状態を示している。
【図２】トランク扉等をかご室側から見た略正面図である。
【図３】本発明の実施形態に係るトランク扉の自動開閉機構の略構成を示す図である。
【発明を実施するための形態】
【０００７】
以下、本発明の一実施の形態について、図面を参照して説明する。尚、各図において同一箇所については同一の符号を付すとともに、重複した説明は省略する。
【０００８】
本実施形態においては、エレベータが管制運転のオペレーション時に、トランク扉の自動開閉を可能とする。
【０００９】
図１は、トランク付エレベータ乗りかごの外観の略斜視図で、かご扉が開いている途中の状態を示している。図２は、トランク扉等をかご室側から見た略正面図である。
【００１０】
本実施形態のトランク付エレベータ乗りかごの構成について説明する。
【００１１】
このトランク付エレベータ乗りかごは、乗りかご１の後方の外側にトランク１０が連結されたものである。乗りかご１は、かご天井板４と、かご床面６が形成されるかご床板２と、これらの間に鉛直に配置されたかご扉８および複数のかご側板３とを有する。かご側板３は、かご扉８に対向する位置に鉛直に配置された後方側板３ａを含んでいる。後方側板３ａには、かご床面６側に開口部９が形成されている。乗りかご１は、かご天井板４、かご床板２、複数のかご側板３等で囲まれたかご室７が形成されている。
【００１２】
トランク１０は、複数のトランク側板１２、トランク床面１４が形成されるトランク床板１１、およびトランク天井板１３を有し、これらで囲まれるように内部に収容空間１５が形成されている。収容空間１５は、かご室７に開口部９から連通している。また、トランク床面１４とかご床面６の鉛直方向高さは、同じになるように形成される。トランク１０は、当該開口部９をかご室７の外側から覆うように、後方側板３ａに連結される。
【００１３】
トランク１０は、開口部９を開閉可能な開き戸型の２枚のトランク扉、すなわち、第１トランク扉１６および第２トランク扉１７を有している。これらの第１および第２トランク扉１６、１７それぞれには、扉把手１８が設けられている。
【００１４】
トランク１０は、使用時には、第１および第２トランク扉１６、１７を開けて、収容空間１５から収容物を搬入あるいは搬出する。したがって、不使用時には、乗りかご内の乗客等によって第１および第２トランク扉１６、１７が開けられることのないように、鍵１９が付けられ施錠されている。
【００１５】
図３は、本発明の実施形態に係るトランク扉の自動開閉機構の略構成を示す図である。図３に示すように、開き戸型の第１および第２トランク扉１６，１７の下隅端部１６ａ、１７ａには、トランク扉１６、１７を回動可能とする軸部２０，２１が設けられ、この軸部２０，２１にはモータ２２が配設されている。さらに、トランク１０の開口部９の上方近傍には、スイッチ２３が配設されている。このスイッチ２３は、第１および第２トランク扉１６，１７を閉めた際に接点（図示しない）が駆動するように配置が調整されている。スイッチ２３がＯＮとなったら、モータ２２の回転を止め、電磁ロックにより、第１および第２トランク扉１６，１７を固定し、開かないようにする。管制運転の解除信号を受けて、モータ２２の回転動作で第１および第２トランク扉１６，１７を閉動作させる。
【００１６】
第１および第２トランク扉１６，１７の開閉は、第１および第２トランク扉１６，１７の下隅端部にソレノイド（図示しない）を配設することも好適である。管制運転の際の制御信号を受けて、ソレノイドの可動鉄心を動かし、第１および第２トランク扉１６，１７のロックを解除し、開動作を可能とする。乗客は第１および第２トランク扉１６，１７の開動作可能とのアナウンスにしたがって、トランク１０内の収納物を使用することになる。
【００１７】
次に、以上のように構成された本実施形態の作用について説明する。
【００１８】
まず、エレベータが管制運転のオペレーション時である。管制運転の際には、例えば、乗りかご室等に、管制運転のオペレーション時であることのアナウンスが流される。
【００１９】
このアナウンスの内容は、例えば、「トランクの中に、防災用品が収納されています。トランクの扉は、自動で開きます。」等である。
【００２０】
管制運転の制御信号はモータ２２にも送られ、モータ２２の回転により第１および第２トランク扉１６，１７が開けられる。その間に、エレベータは最寄階に停止する。当該最寄階に着床すると、エレベータのドア８が開く。乗客は、防災用品を身に着けて避難する。最寄階に着床後、電磁ロックを解除し、モータ２２の回転により第１および第２トランク扉１６，１７の閉動作を行う。
【００２１】
管制運転時、エレベータの行先階設定ボタンの所定の押下操作により、第１および第２トランク扉１６，１７を開動作させることも好適である。この場合、予め暗証番号を設定しておき、アナウンスによって乗客に暗証番号を告知する。暗証番号が入力されると、第１および第２トランク扉１６，１７の電磁ロックを解除し、モータ２２の回転により第１および第２トランク扉１６，１７を開ける。
【００２２】
本実施形態によれば、トランク１０の扉部分に動力機構を設け、所定の条件が整う場合に、第１および第２トランク扉１６，１７のロックを解除させ、第１および第２トランク扉１６，１７を自動開閉させることが可能となる。
【００２３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２４】
１・・・乗りかご
２・・・かご床板
３・・・かご側板
４・・・かご天井板
６・・・かご床面
７・・・かご室
８・・・かご扉
９・・・開口部
１０・・・トランク
１１・・・トランク床板
１２・・・トランク側板
１３・・・トランク天井板
１４・・・トランク床面
１５・・・収容空間
１６・・・第１トランク扉
１７・・・第２トランク扉
１８・・・扉把手
１９・・・鍵
２０・・・軸部
２１・・・軸部
２２・・・モータ
２３・・・スイッチ
【図１】
2015037983.tif 000003
【図２】
2015037983.tif 000004
【図３】
2015037983.tif 000005